(57)【要約】【課題】外壁に沿って吹き上がる風が換気経路に入ることを防止する小屋裏の換気構造を提供する。【解決手段】小屋裏と外部とを連通する開口部１６を覆うように、かつ下方を開放した状態で外壁１０に取り付けられ、下端部から前記外壁１０に向け、かつ、この外壁１０との間に隙間をもって突設された第１水切り３４を有する覆い部材３０と、第１水切り３４と開口部１６との間に設けられ、外壁１０から覆い部材３０に向け、かつ、この覆い部材３０との間に隙間をもって突設された第２水切り４２と、第１水切り３４の下方に設けられ、外壁１０から外方に向け、かつ、覆い部材３０以上に突出するようにして突設された第３水切り４３とを備えた小屋裏の換気構造である。第３水切り４３で外壁１０に沿って吹き上がる風が換気経路に流入することを防ぎ、雨水や雪が風とともに小屋裏へ浸入することを防ぐことができる。【選択図】図１
2008190234.tif 000002
【特許請求の範囲】
【請求項１】
小屋裏と外部とを連通する開口部を覆うように、かつ下方を開放した状態で外壁に取り付けられ、下端部から前記外壁に向け、かつ、この外壁との間に隙間をもって突設された第１水切りを有する覆い部材と、前記第１水切りと前記開口部との間に設けられ、前記外壁から前記覆い部材に向け、かつ、この覆い部材との間に隙間をもって突設された第２水切りと、前記第１水切りの下方に設けられ、前記外壁から外方に向け、かつ、前記覆い部材以上に突出するようにして突設された第３水切りとを備えたことを特徴とする小屋裏の換気構造。
【請求項２】
前記第３水切りの前記外壁から突出する長さは、前記第１水切りと前記第３水切りとの高低差よりも長いことを特徴とする請求項１に記載の小屋裏の換気構造。
【請求項３】
前記外壁の表面には胴縁が設けられており、この胴縁によって形成された換気経路が前記開口部に連通していることを特徴とする請求項１または２に記載の小屋裏の換気構造。
【請求項４】
前記胴縁の上部には前記覆い部材と接合される笠木が設けられており、この笠木により外壁と覆い部材との間が封止されていることを特徴とする請求項３に記載の小屋裏の換気構造。
【請求項５】
前記第２水切り及び前記第３水切りが、外壁と平行に設けられる仕切材により封止されていることを特徴とする請求項１〜４に記載の小屋裏の換気構造。
【請求項６】
請求項５に記載の小屋裏の換気構造を形成する方法であって、前記第２水切り、前記第３水切り、及び前記仕切材が一体化された第１の部材を外壁に取り付け、次いで前記覆い部材を、前記第１の水切りが前記第２水切りと前記第３水切りとの間の高さに配置され、かつ、上端が前記第１の部材よりも上部に配置されるように外壁に取り付けることを特徴とする小屋裏の換気構造の形成方法。
【発明の詳細な説明】
【技術分野】
【０００１】
本発明は、小屋裏の換気構造及び小屋裏の換気構造の形成方法に関する。
【背景技術】
【０００２】
従来、小屋裏の換気構造としては、例えば特許文献１に示すものがある。この換気構造は，屋根の軒先に沿って取り付けられた破風と小屋裏との間に換気経路となる内部空間を設け、内部空間の下端に外部に通じる開口が壁面と面一に設けられるとともに、上下方向に間隔を空けて破風側と小屋裏側とに交互に水返しが設けられ、内部空間の上端に小屋裏に通じる換気開口部を設けたものである。
【特許文献１】特許第３１８３７７１号明細書
【発明の開示】
【発明が解決しようとする課題】
【０００３】
しかし、上述の換気構造では、特に寒冷地において、吹雪のときに粉雪が風とともに外壁に沿って吹き上がり、換気経路から小屋裏へ浸入してしまう恐れがあった。
【０００４】
本発明の課題は、外壁に沿って吹き上がる風が換気経路に入ることを防止する小屋裏の換気構造を提供することである。
【課題を解決するための手段】
【０００５】
以上の課題を解決するため、請求項１に記載の発明は、小屋裏の換気構造であって、例えば図１に示すように、小屋裏と外部とを連通する開口部１６を覆うように、かつ下方を開放した状態で外壁１０に取り付けられ、下端部から前記外壁１０に向け、かつ、この外壁１０との間に隙間をもって突設された第１水切り（中間水切り３４）を有する覆い部材（破風３０）と、前記第１水切り（中間水切り３４）と前記開口部１６との間に設けられ、前記外壁１０から前記覆い部材（破風３０）に向け、かつ、この覆い部材（破風３０）との間に隙間をもって突設された第２水切り（上部水切り４２）と、前記第１水切り（中間水切り３４）の下方に設けられ、前記外壁１０から外方に向け、かつ、前記覆い部材（破風３０）以上に突出するようにして突設された第３水切り（下部水切り４３）とを備えたことを特徴とする。
【０００６】
請求項１に記載の発明によれば、小屋裏と外部とを連通する開口部１６を覆うように、かつ下方を開放した状態で外壁１０に取り付けられ、下端部から外壁１０に向け、かつ、この外壁１０との間に隙間をもって突設された第１水切り（中間水切り３４）を有する覆い部材（破風３０）と、第１水切り（中間水切り３４）と開口部１６との間に設けられ、外壁１０から覆い部材（破風３０）に向け、かつ、この覆い部材（破風３０）との間に隙間をもって突設された第２水切り（上部水切り４２）と、第１水切り（中間水切り３４）の下方に設けられ、外壁１０から外方に向け、かつ、覆い部材（破風３０）以上に突出するようにして突設された第３水切り（下部水切り４３）とにより、入り組んだ換気経路を形成し、小屋裏と屋外との間で空気が流れる方向を複雑に変え、雨水や雪の小屋裏への浸入を防ぐことができる。また、外壁１０から外方へ突出する第３水切り（下部水切り４３）を設けたことで、外壁１０に沿って吹き上がる風が換気経路に流入することを防ぎ、雨水や雪が風とともに小屋裏へ浸入することを防ぐことができる。
【０００７】
請求項２に記載の発明は、請求項１に記載の小屋裏の換気構造であって、前記第３水切り（下部水切り４３）の前記外壁１０から突出する長さは、前記第１水切り（中間水切り３４）と前記第３水切り（下部水切り４３）との高低差よりも長いことを特徴とする。
【０００８】
請求項２に記載の発明によれば、第３水切り（下部水切り４３）の外壁１０から突出する長さが、第１水切り（中間水切り３４）と第３水切り（下部水切り４３）との高低差よりも長いため、第１水切り（中間水切り３４）と第３水切り（下部水切り４３）との上下幅が深さに比して小さくなり、よって雨水や雪を一層換気経路に入りにくくすることができる。
【０００９】
請求項３に記載の発明は、請求項１または２に記載の小屋裏の換気構造であって、前記外壁１０の表面には胴縁１３が設けられており、この胴縁１３によって形成された換気経路が前記開口部１６に連通していることを特徴とする。
【００１０】
請求項３に記載の発明によれば、外壁１０の表面に胴縁１３を設け、この胴縁１３によって形成された換気経路が前記開口部１６に連通しているので、外壁１０の表面の任意の位置に、小屋裏に通じる換気孔１２を設けることができる。
【００１１】
請求項４に記載の発明は、請求項３に記載の小屋裏の換気構造であって、前記胴縁１３の上部には前記覆い部材と接合される笠木５０が設けられており、この笠木５０により外壁１０と覆い部材との間が封止されていることを特徴とする。
【００１２】
請求項４に記載の発明によれば、胴縁１３の上部に前記覆い部材と接合される笠木５０を設け、この笠木５０により外壁１０と覆い部材との間を封止することで、換気経路に上から雨水や雪が浸入することを防ぐことができる。
【００１３】
請求項５に記載の発明は、請求項１〜４に記載の小屋裏の換気構造であって、前記第２水切り（上部水切り４２）及び前記第３水切り（下部水切り４３）が、外壁１０と平行に設けられる仕切材により封止されていることを特徴とする。
【００１４】
請求項５に記載の発明によれば、第２水切り（上部水切り４２）及び第３水切り（下部水切り４３）が、外壁１０と平行に設けられる仕切材により封止されているので、換気経路と外壁１０との間を水密に仕切ることができる。
【００１５】
請求項６に記載の発明は、請求項５に記載の小屋裏の換気構造を形成する方法であって、前記第２水切り（上部水切り４２）、前記第３水切り（下部水切り４３）、及び前記仕切材が一体化された第１の部材（水切り材４０）を外壁１０に取り付け、次いで前記覆い部材（破風３０）を、前記第１の水切り（中間水切り３４）が前記第２水切り（上部水切り４２）と前記第３水切り（下部水切り４３）との間の高さに配置され、かつ、上端が前記第１の部材（水切り材４０）よりも上部に配置されるように外壁１０に取り付けることを特徴とする。
【００１６】
請求項６に記載の発明によれば、第２水切り（上部水切り４２）、第３水切り（下部水切り４３）、及び仕切材が一体化された第１の部材（水切り材４０）を、外壁１０に取り付け、次いで覆い部材（破風３０）を、第１の水切り（中間水切り３４）が第２水切り（上部水切り４２）と第３水切り（下部水切り４３）との間の高さに配置され、かつ、上端が第１の部材（水切り材４０）よりも上部に配置されるように外壁１０に取り付ける少ない工程で換気構造を形成することができる。
【発明の効果】
【００１７】
本発明によれば、小屋裏と外部とを連通する開口部を覆うように、かつ下方を開放した状態で外壁に取り付けられ、下端部から外壁に向け、かつ、この外壁との間に隙間をもって突設された第１水切りを有する覆い部材と、前記第１水切りと前記開口部との間に設けられ、前記外壁から前記覆い部材に向け、かつ、この覆い部材との間に隙間をもって突設された第２水切りと、前記第１水切りの下方に設けられ、前記外壁から外方に向け、かつ、前記覆い部材以上に突出するようにして突設された第３水切りとにより、入り組んだ換気経路を形成し、小屋裏と屋外との間で空気が流れる方向を複雑に変え、雨水や雪の小屋裏への浸入を防ぐことができる。また、外壁から外方へ突出する第３水切りを設けたことで、外壁に沿って吹き上がる風が換気経路に流入することを防ぎ、雨水や雪が風とともに小屋裏へ浸入することを防ぐことができる。
【００１８】
また、第３水切りの外壁から突出する長さが、第１水切りと第３水切りとの高低差よりも長いため、第１水切りと第３水切りとの上下幅が深さに比して小さくなり、よって雨水や雪を一層換気経路に入りにくくすることができる。
【００１９】
さらに、外壁の表面に胴縁を設け、この胴縁によって形成された換気経路が前記開口部に連通しているので、外壁の表面の任意の位置に、小屋裏に通じる換気孔を設けることができる。また、胴縁の上部に前記覆い部材と接合される笠木を設け、この笠木により外壁と覆い部材との間を封止することで、換気経路に上から雨水や雪が浸入することを防ぐことができる。
【００２０】
また、第２水切り及び第３水切りが、外壁と平行に設けられる仕切材により封止されているので、換気経路と外壁との間を水密に仕切ることができる。さらに、この第２水切り、第３水切り、及び仕切材が一体化された第１の部材を、外壁に取り付け、次いで覆い部材を、第１の水切りが第２水切りと第３水切りとの間の高さに配置され、かつ、上端が第１の部材よりも上部に配置されるように外壁に取り付ける少ない工程で換気構造を形成することができる。
【発明を実施するための最良の形態】
【００２１】
以下、本発明の実施の形態について詳細に説明する。図１は本発明の小屋裏の換気構造の第１の実施の形態を示す要部断面図である。この建物は、無落雪屋根であり、内側に谷状に傾斜した勾配屋根の外周部に、上端が屋根よりも上へ突出する外壁１０が設けられている。なお、この建物は、図１に示すように、枠材１１ａ、２１ａに面材１１ｂ、１１ｃ、２１ｂを貼り付け手形成され、必要に応じて図示しない桟材で補強された木質パネル（壁パネル１１、屋根パネル２１等）を組み合わせて建物躯体を形成するパネル工法によって建設されている。
【００２２】
外壁１０は、壁パネル１１と、胴縁１３と、外装材１４等とから構成されている。壁パネル１１の内周面には、図示しない屋根受け材が設けられており、勾配屋根を構成する屋根パネル２１が支持されている。屋根パネル２１の上面、及び、壁パネル１１の内周面の屋根パネル２１よりも上部は、防水材２２により被覆されている。
【００２３】
壁パネル１１の外周面を構成する面材１１ｂには、壁パネル１１の内部に通じる換気孔１２が設けられている。同様に、壁パネル１１の内周面を構成する面材１１ｃにも、屋根パネル２１の下部の小屋裏に通じる図示しない換気孔が設けられている。
【００２４】
面材１１ｂの外側には、水平方向に間隔を空けて胴縁１３が設けられている。胴縁１３の外側は、上端を除き、外装材１４で被覆されている。この外壁１０の外周面の上端に、外装材１４の代わりに、破風３０（覆い部材）と、水切り材４０（第１の部材）とからなる換気構造が設けられている。
【００２５】
胴縁１３の上端には、破風ブラケット３５が取り付けられている。破風ブラケット３５は、破風３０を支持する。また、胴縁１３の上部には、破風下地調整材３６が設けられている。破風３０は、破風下地調整材３６の外周面に固定される固定部３１と、固定部３１から建物外方へ突設された突設板３２と、突設板３２の先端から壁パネル１１と平行に垂下して配置される化粧板３３と、化粧板３３の下端から壁パネル１１側に突設された中間水切り３４（第１水切り）とから構成されている。
【００２６】
胴縁１３の破風ブラケット３５が取り付けられた位置の下部には、水切り材４０が取り付けられている。水切り材４０は、壁パネル１１の面材１１ｂと平行に設けられる仕切板４１と、仕切板４１の上端及び下端から建物の外方に突設された上部水切り４２（第２水切り）及び下部水切り４３（第３水切り）とから構成される。
【００２７】
上部水切り４２は突設板３２よりも低くかつ中間水切り３４よりも高く配置される。上部水切り４２と化粧板３３との間には間隔が空けられる。また、中間水切り３４と仕切板４１との間にも間隔が空けられる。中間水切り３４の内側端部は、上部水切り４２の外側端部よりも建物の内側へ突出している。
【００２８】
下部水切り４３は中間水切り３４よりも低く配置される。中間水切り３４と下部水切り４３との高低差は、建物の外方に突設された下部水切り４３の突出長さよりも小さい。下部水切り４３の外側端部は、化粧材以上に建物の外方に突出している。
【００２９】
水切り材４０とその下部の外装材１４とは、止水材１５により封止されている。このため、破風３０の固定部３１と、水切り材４０の上部水切り４２との間が、外壁１０の内部から屋外へ通じる唯一の開口部１６となる。
【００３０】
中間水切り３４と下部水切り４３との間、中間水切り３４と仕切板４１との間、上部水切り４２と中間水切り３４との間、上部水切り４２と化粧板３３との間、上部水切り４２と突設板３２との間、及び、仕切板４１または外装材１４と壁パネル１１の面材１１ｂとの間を通して、小屋裏の空気を屋外に放出したり、外気を小屋裏へ取り入れたりすることができる。このように、破風３０と水切り材４０とにより、小屋裏と屋外とを連通させる換気経路が形成されている。
【００３１】
壁パネル１１の上部には、破風下地調整材３６の内周面に接して笠木下地調整材５１が設けられている。破風下地調整材３６及び笠木下地調整材５１の上面は、笠木５０によって被覆されている。笠木５０の建物内方の端部は、防水材２２の上端と水密に接合されている。また、笠木５０の建物外方の端部は、破風３０の上端と水密に接合されている。このため、換気経路の上から雨水や雪が浸入することを防ぐことができる。
【００３２】
ここで、上記の換気構造の形成方法について説明する。まず、壁パネル１１の外側面に設けられた胴縁１３の、上端から破風ブラケット３５の取り付け高さだけ下がった位置に、水切り材４０を取り付ける。次に、水切り材４０よりも上部に破風ブラケット３５を取り付ける。
【００３３】
次に、胴縁１３及び壁パネル１１の上部に設けられた破風下地調整材３６及び破風ブラケット３５に、破風３０を取り付ける。次いで、胴縁１３及び壁パネル１１の上部に笠木５０を設け、笠木５０と破風３０とを水密に接合する。
【００３４】
以降、笠木５０と防水材２２とを水密に接合し、また胴縁１３及び壁パネル１１の外側面を外装材１４で被覆し、外装材１４と水切り材４０との隙間を止水材１５で封止し、建物を完成させる。このように、本発明の換気構造は、建物の防水工の工程に水切り材４０の取り付けと破風３０の取り付け工程を加えるだけで容易に形成することができる。
【００３５】
このような小屋裏の換気構造によれば、上述のように入り組んだ換気経路を形成することで、小屋裏と屋外との間で空気が流れる方向を複雑に変え、雨水や雪が小屋裏に入ることを防ぐことができる。
【００３６】
また、外壁１０から外方へ突出する下部水切り４３を設けたことで、外壁１０に沿って吹き上がる風が換気経路に流入することを防ぎ、雨水や雪が風とともに小屋裏へ浸入することを防ぐことができる。
【００３７】
図２は本発明の他の実施の形態を示す要部断面図である。図２において、下部水切り４３は、外壁１０から建物の外方へ突設される上部板４３ａと、同じく外壁１０から建物の外方へ突設される下部板４３ｂと、外壁１０と離間して平行に設けられ、上部板４３ａ及び下部板４３ｂの先端間を封止する下部化粧板４３ｃとからなる。下部化粧板４３ｃは、破風３０の化粧板３３と、ほぼ同じ形状及び大きさに形成されている。
【００３８】
本実施の形態においても、第１の実施の形態と同様の効果が得られる。また、下部水切り４３の上部板４３ａと下部板４３ｂとが上下に離間しており、上部板４３ａと中間水切り３４との間が換気経路への入口となるため、雨水や雪が換気経路へ浸入しにくくなる。
【００３９】
なお、以上の実施の形態においては、換気構造を外壁１０の上端部に設けたが、本発明はこれに限らず、任意の位置に設けることができる。また、屋根の形状も、無落雪屋根に限らず、陸屋根や勾配屋根その他の形状であってもよい。
【００４０】
また、本発明はパネル工法の建物に限らず、在来軸組工法やツーバイフォー工法、その他の任意の工法によって建設される建物にも適用することができることはもちろんである。
【図面の簡単な説明】
【００４１】
【図１】本発明の換気構造を示す鉛直断面図である。
【図２】本発明の換気構造を示す鉛直断面図である。
【符号の説明】
【００４２】
１０   外壁
１２   換気孔
１３   胴縁
１６   開口部
３０   破風
３４   中間水切り
４０   水切り材
４２   上部水切り
４３   下部水切り
５０   笠木
【図１】
2008190234.tif 000003
【図２】
2008190234.tif 000004